(57)【特許請求の範囲】
【請求項１】
固定ドラムと、該固定ドラムに固定された固定軸と、磁気ヘッドを有し前記固定軸に回転可能に取り付けられた回転ドラムと、貫通された軸孔及びブラシ孔を有し該軸孔に挿通された前記固定軸に取り付けられた固定部材と、開口部を有し前記回転ドラムに取り付けられた取付板と、前記ブラシ孔内に配置され前記回転ドラムに当接するアースブラシとを備え、
前記固定部材は円柱形状をなしていて、前記軸孔は該円柱形状の偏心位置にあり、前記ブラシ孔は、その中心が前記軸孔中心から円柱形状中心を通って伸びる延長線上に配置されていることを特徴とする回転ヘッド装置。
【請求項２】
固定ドラムと、該固定ドラムに固定された固定軸と、磁気ヘッドを有し前記固定軸に回転可能に取り付けられた回転ドラムと、貫通された軸孔及びブラシ孔を有し該軸孔に挿通された前記固定軸に取り付けられた固定部材と、開口部を有し前記回転ドラムに取り付けられた取付板と、前記ブラシ孔内に配置され前記回転ドラムに当接するアースブラシとを備え、
前記軸孔は、固定部材を円柱形状と仮想したときその仮想円柱形状の偏心位置にあり、前記ブラシ孔は、この軸孔中心から円柱形状中心を通って伸びる延長線上に配置されており、上記固定部材は、その軸孔に関しブラシ孔と反対側の部分に、仮想円柱形状を切り欠いた、前記固定軸の軸方向と平行な方向の切り欠き面を有することを特徴とする回転ヘッド装置。
【請求項３】
前記固定部材には、前記軸孔中心を通り該軸孔中心と仮想円柱形状中心とを結ぶ線に直交する線上の対称位置に中心を有する一対のネジ穴を設け、該ネジ穴と前記ブラシ孔との間に位置する前記固定部材の肉部を切り欠いて、前記固定軸の軸方向と略平行に切り欠き部を設けたことを特徴とする請求項２に記載の回転ヘッド装置。
【請求項４】
前記回転ドラムの一部を構成するボールベアリングの外輪部に、前記取付板の開口部の内側を当接させてなることを特徴とする請求項１または２に記載の回転ヘッド装置。
【請求項５】
前記ボールベアリングの外輪部に、前記アースブラシを当接させてなることを特徴とする請求項４に記載の回転ヘッド装置。
【発明の詳細な説明】
【０００１】
【発明の属する技術分野】
本発明は、磁気記録再生装置としてのビデオテープレコーダ等に使用される回転ヘッド装置に関する。
【０００２】
【従来の技術】
図５は、従来の回転ヘッド装置の断面図、図６は、従来の回転ヘッド装置に用いられる固定部材の説明図であり、同図Ａは固定部材の上面図、同図Ｂは同図Ａの６Ｂ−６Ｂ線における断面図、同図Ｃは同図Ａの６Ｃ−６Ｃ線における断面図である。また、図７は、従来の回転ヘッド装置の要部を分解した断面図である。
【０００３】
従来の磁気記録再生装置に使用される回転ヘッド装置は、図５〜図７に示すように、下方に位置する固定ドラムＫと、この固定ドラムＫの上方に配置された回転ドラムＲと、この回転ドラムＲの上方に配置されたモータＭとを有している。また、固定ドラムＫは、その中心部に円柱状の導電性の材料からなる固定軸３１が固定されており、図示しない記録再生装置本体への取付において固定軸３１を介してアースするようになっている。また、固定軸３１を中心として回転可能な回転ドラムＲには、磁気ヘッド３２がネジ３３によって取り付けられている。
【０００４】
磁気ヘッド３２に対して、記録時にはビデオ信号を供給すると共に、再生時には再生信号を取り出す回転トランス３４は、固定側トランス３４ａと回転側トランス３４ｂとで構成されている。そして、これらの回転トランス３４は固定ドラムＫと回転ドラムＲとの間に配設され、固定側トランス３４ａは固定ドラムＫに取り付けられ、また、回転側トランス３４ｂは回転ドラムＲに取り付けられ、回転側トランス３４ｂは回転ドラムＲと共に回転するようになっている。
【０００５】
回転部材である２つのボールベアリングは、上側ボールベアリング３５及び下側ボールベアリング３６からなり、内輪部３５ａ及び３６ａと、外輪部３５ｂ及び３６ｂ、及び内輪部３５ａ（３６ａ）と外輪部３５ｂ（３６ｂ）との間に配置されたボール３５ｃ（３６ｃ）とで構成されている。このような構成を有する２つのボールベアリング３５及び３６は、回転ドラムＲの中心孔３７の両側に、外輪部３５ｂ及び３６ｂを圧入して固定されている。これら２つのボールベアリング３５及び３６は、内輪部３５ａ及び３６ａを固定軸３１に圧入して取り付けられ、ボール３５ｃ及び３６ｃを介して外輪部３５ｂ及び３６ｂと回転ドラムＲとが回転するようになっている。上側ボールベアリング３５は回転ドラムＲの上端部に取り付けられ、また、下側ボールベアリング３６は回転トランス３４の回転側トランス３４ｂの上部に位置した状態で配設されている。
【０００６】
また、モータＭは、固定軸３１に支持されたステータＳと、回転ドラムＲに取り付けたロータＬとで構成されている。そして、ステータＳは、固定軸３１に挿入されて取り付けられた円柱状の固定部材３８と、この固定部材３８にネジ３９によって取り付けられたモータ制御回路基板４０と、このモータ制御回路基板４０に取り付けられ、コイル４１を設けた磁性金属からなるコア４２とで構成されている。
【０００７】
ここで、円柱状の固定部材３８は、図６に示すように、円柱状の固定部材３８の中心に設けられ、上下に貫通した軸孔３８ａと、側部に設けられ、軸孔３８ａに連通している側部ネジ孔３８ｂと、上部に設けられたネジ穴３８ｃと、上下に貫通したブラシ孔３８ｄとを有している。ブラシ孔３８ｄは、軸孔３８ａに固定軸３１が挿入され、側部ネジ孔３８ｂ内のネジ３８ｅによって、固定部材３８が固定軸３１に同心で取り付けられた際に、上側ボールベアリング３５の外輪部３５ｂ上に位置するように形成されている。そして、ブラシ孔３８ｄ内には、導電性の良い材料からなる巻きバネ４３とアースブラシ４４とが収納されている。
【０００８】
また、モータ制御回路基板４０は、プリント基板にモータ制御回路が実装されたものであり、図示しない記録再生装置本体から供給された電源をコイル４１に供給し、回転ドラムＲの回転制御を行うものである。このモータ制御回路基板４０は、ブラシ孔３８ｄ内の巻きバネ４３を付勢し、また、巻きバネ４３側のモータ制御回路基板４０の面には鉄等の導電性の良い金属部材層（図示せず）が形成されているため、巻きバネ４３を介してアースブラシ４４と電気的に導通している。このようにして、ブラシ孔３８ｄ内に配設された巻きバネ４３により、上側ボールベアリング３５の外輪部３５ｂの上部端面にアースブラシ４４を弾圧させている。そして、ネジ３９により固定部材３８のネジ穴３８ｃに取り付けられている。
【０００９】
また、ロータＬは、固定部材３８の外径よりも大きな内径の、円形の開口部４５ａを有する底板部４５ｂと筒状部４５ｃとによってコップ状に形成された取付板４５と、この取付板４５の底板部４５ｂの円形の開口部４５ａを回転ドラムＲに取り付けるネジ４６と、筒状部４５ｃに接着固定された円筒状の磁石４７とで構成されている。そして、コア４２は円筒状の磁石４７内に配設され、コア４２と磁石４７とは全周で同じクリアランスをもって対峙させている。
【００１０】
上述したような従来の回転ヘッド装置は、モータＭによって回転ドラムＲが回転するようになり、この回転ドラムＲの回転により磁気ヘッド３２も回転し、この磁気ヘッド３２に対して、所定の押圧力Ｐで押されて接触した状態で磁気テープＴが移動して、記録あるいは再生を行うようになっている。この際に回転ドラムＲと磁気テープＴとの摺動等により回転ドラムＲ側に静電気が発生し、その静電気が各ボールベアリング３５、３６の外輪部３５ｂ、３６ｂにも蓄積される。この静電気は、上側ボールベアリング３５の外輪部３５ｂからアースブラシ４４、巻きバネ４３、モータ制御回路基板４０、ネジ３９、固定部材３８、固定軸３１の順に導通させてアースへ落とすようになっている。
【００１１】
このような回転ヘッド装置を形成する際には、まず、固定ドラムＫ及び下側ボールベアリング３６が取り付けられた固定軸３１に回転ドラムＲを取り付け、上側ボールベアリング３５を、固定軸３１に挿入された固定部材３８によって押し付けて、固定軸３１の所定の位置に圧入配置する。次に、固定軸３１に挿入された固定部材３８を、その側部に設けられた側部ネジ孔３８ｂから、ネジ３８ｅにより固定軸３１に取り付ける。次に、取付板４５の底板部４５ｂに設けられた円形の開口部４５ａの内側を、固定部材３８の外側で案内して、取付板４５内に固定部材３８が内包される状態にして、取付板４５をネジ４６によって回転ドラムＲに取り付けた後、モータ制御回路基板４０を固定部材３８のネジ穴３８ｃにネジ３９によって取り付ける。
【００１２】
【発明が解決しようとする課題】
しかしながら、固定部材３８の中心に軸孔３８ａが設けられ、固定部材３８と固定軸３１とが同心で配設され、上側ボールベアリング３５の外輪部３５ｂに弾接する様に、巻きバネ４３及びアースブラシ４４が固定部材３８の内部に配設されているため、円柱状の固定部材３８の外径が上側ボールベアリング３５の外径よりも大型化する。このように、大型化した固定部材３８を用いると、回転ヘッド装置の小型化が阻害されるとともに、回転ヘッド装置自体の重量が重くなり、併せて材料コストが上昇する。
【００１３】
一方、ロータＬの取付板４５の開口部４５ａも、その内径を固定部材３８の外径よりも大きく形成する必要がある。そして、回転ドラムＲにはロータを取り付ける際の位置決め段部５０を形成する必要があった。この位置決め段部５０はボールベアリング３５の取付孔と同軸に設ける必要があり、同時切削加工など、精度の高い加工が必要となるため、製造コストの上昇を招いていた。
【００１４】
また、大型化された固定部材３８を用いると、ロータＬの取付板４５を取り付ける際に、固定部材３８を挿通させる開口部４５ａの内径も大きくする必要がある。そのため、開口部４５ａが大きい、新たなモータを準備することが必要であるが、モータを新規に製造すると非常に高コストとなる。また、製造コストの低減を図るために、複数の仕様の回転ヘッド装置において同じ部品を用いる、部品の共通化が行われているが、新たなモータを用いると部品の共通化ができず製造コストが上昇する。
【００１５】
【課題を解決するための手段】
本発明の回転ヘッド装置は、その第一の態様では、固定ドラムと、該固定ドラムに固定された固定軸と、磁気ヘッドを有し、前記固定軸に回転可能に取り付けられた回転ドラムと、貫通された軸孔及びブラシ孔を有し、該軸孔に挿通された前記固定軸に取り付けられた固定部材と、開口部を有し、前記回転ドラムに取り付けられた取付板と、前記ブラシ孔内に配置され、前記回転ドラムに当接するアースブラシとを備え、  前記固定部材は円柱形状をなしていて、前記軸孔は該円柱形状の偏心位置にあり、前記ブラシ孔は、その中心が前記軸孔中心から円柱形状中心を通って伸びる延長線上に配置されている構成とした。
【００１６】
また、第二の態様では、固定ドラムと、該固定ドラムに固定された固定軸と、磁気ヘッドを有し前記固定軸に回転可能に取り付けられた回転ドラムと、貫通された軸孔及びブラシ孔を有し該軸孔に挿通された前記固定軸に取り付けられた固定部材と、開口部を有し前記回転ドラムに取り付けられた取付板と、前記ブラシ孔内に配置され前記回転ドラムに当接するアースブラシとを備え、前記軸孔は、固定部材を円柱形状と仮想したときその仮想円柱形状の偏心位置にあり、前記ブラシ孔は、この軸孔中心から円柱形状中心を通って伸びる延長線上に配置されており、上記固定部材は、その軸孔に関しブラシ孔と反対側の部分に、仮想円柱形状を切り欠いた、前記固定軸の軸方向と平行な方向の切り欠き面を有する構成とした。
【００１７】
この第二の態様では、前記固定部材には、前記軸孔中心を通り該軸孔中心と仮想円柱形状中心とを結ぶ線に直交する線上の対称位置に中心を有する一対のネジ穴を設け、該ネジ穴と前記ブラシ孔との間に位置する前記固定部材の肉部を切り欠いて、前記固定軸の軸方向と略平行に切り欠き部を設けることができる。
【００１８】
また、本発明の回転ヘッド装置は、前記回転ドラムの一部を構成するボールベアリングの外輪部に、前記取付板の開口部の内側を当接させてなる構成とした。
【００１９】
また、本発明の本発明の回転ヘッド装置は、ボールベアリングの外輪部に、前記アースブラシを当接させてなる構成とした。
【００２０】
【発明の実施の形態】
以下に、本発明の回転ヘッド装置の実施の形態について説明する。図１は、本発明の回転ヘッド装置の第１の実施の形態の断面図、図２は、本発明の回転ヘッド装置の第１の実施の形態に用いられる固定部材の説明図であり、同図Ａは固定部材の上面図、同図Ｂは同図Ａの２Ｂ−２Ｂ線における断面図、同図Ｃは同図Ａの２Ｃ−２Ｃ線における断面図である。また、図３は、本発明の回転ヘッド装置の第１の実施の形態の要部を分解した断面図である。
【００２１】
本発明の回転ヘッド装置は、図１〜図３に示すように、下方に位置する固定ドラムＫと、この固定ドラムＫの上方に配置された回転ドラムＲと、この回転ドラムＲの上方に配置されたモータＭとを有している。また、固定ドラムＫは、その中心部に円柱状の導電性の材料からなる固定軸１が固定されており、図示しない記録再生装置本体への取付において固定軸１を介してアースするようになっている。また、固定軸１を中心として回転可能な回転ドラムＲには、磁気ヘッド２がネジ３によって取り付けられている。
【００２２】
磁気ヘッド２に対して、記録時にはビデオ信号を供給すると共に、再生時には再生信号を取り出す回転トランス４は、固定側トランス４ａと回転側トランス４ｂとで構成されている。そして、これらの回転トランス４は固定ドラムＫと回転ドラムＲとの間に配設され、固定側トランス４ａは固定ドラムＫに取り付けられ、また、回転側トランス４ｂは回転ドラムＲに取り付けられ、回転側トランス４ｂは回転ドラムＲと共に回転するようになっている。
【００２３】
回転部材である２つのボールベアリングは、上側ボールベアリング５及び下側ボールベアリング６からなり、内輪部５ａ及び６ａと、回転ドラムＲの一部を構成する導電性の材料からなる外輪部５ｂ及び６ｂ、及び内輪部５ａ（６ａ）と外輪部５ｂ（６ｂ）との間に配置されたボール５ｃ（６ｃ）とで構成されている。このような構成を有する２つのボールベアリング５及び６は、回転ドラムＲの中心孔７の両側に、外輪部５ｂ及び６ｂを圧入して固定されている。これら２つのボールベアリング５及び６は、内輪部５ａ及び６ａを固定軸１に圧入して取り付けられ、ボール５ｃ及び６ｃを介して外輪部５ｂ及び６ｂと回転ドラムＲとが回転するようになっている。上側ボールベアリング５は回転ドラムＲの上端部に取り付けられ、また、下側ボールベアリング６は回転トランス４の回転側トランス４ｂの上部に位置した状態で配設されている。
【００２４】
また、モータＭは、固定軸１に支持されたステータＳと、回転ドラムＲに取り付けたロータＬとで構成されている。そして、ステータＳは、固定軸１に挿入されて取り付けられた円柱状の固定部材８と、この固定部材８にネジ９によって取り付けられたモータ制御回路基板１０と、このモータ制御回路基板１０に取り付けられ、コイル１１を設けた磁性金属からなるコア１２とで構成されている。
【００２５】
ここで、円柱状の固定部材８は、図２に示すように、上下に貫通した軸孔８ａと、側部に設けられ、軸孔８ａに連通している側部ネジ孔８ｂと、上部に設けられたネジ穴８ｃと、上下に貫通したブラシ孔８ｄとを有している。軸孔８ａは、円柱状の固定部材８の中心Ｃから外れた位置Ｊを中心として形成されている。また、ブラシ孔８ｄは、軸孔８ａに挿入された固定軸１から固定部材８の外周縁までの長さが長い長軸ＺＸと、長さが短い短軸ＷＹのうち、長軸ＺＸ部分に設けられている。別言すると、軸孔８ａは該円柱状の固定部材８の偏心位置にあり、ブラシ孔８ｄは、その中心が軸孔８ａの中心から円柱形状の中心を通って伸びる延長線上に配置されている。また、このブラシ孔８ｄは、軸孔８ａに固定軸１が挿入され、側部ネジ孔８ｂ内のネジ８ｅによって、固定部材８が固定軸１に偏心して取り付けられた際に、上側ボールベアリング５の外輪部５ｂ上に位置するように形成されている。そして、ブラシ孔８ｄ内には、導電性の良い材料からなる巻きバネ１３とアースブラシ１４とが収納されている。
【００２６】
また、モータ制御回路基板１０は、プリント基板にモータ制御回路が実装されたものであり、図示しない記録再生装置本体から供給された電源をコイル１１に供給し、回転ドラムＲの回転制御を行うものである。このモータ制御回路基板１０は、ブラシ孔８ｄ内の巻きバネ１３を付勢し、また、巻きバネ１３側のモータ制御回路基板１０の面には鉄等の導電性の良い金属部材層（図示せず）が形成されているため、巻きバネ１３を介してアースブラシ１４と電気的に導通している。このようにして、ブラシ孔８ｄ内に配設された巻きバネ１３により上側ボールベアリング５の外輪部５ｂの上部端面にアースブラシ１４を弾圧させている。そして、ネジ９により固定部材８のネジ穴８ｃに取り付けられている。
【００２７】
また、ロータＬは、上側ボールベアリング５の外径に嵌合する内径の、円形の開口部１５ａを有する底板部１５ｂと、筒状部１５ｃとによってコップ状に形成された取付板１５と、この取付板１５の円形の開口部１５ａを上側ボールベアリング５の外輪部５ｂの外側に当接させ、回転ドラムＲに取り付けるネジ１６と、筒状部１５ｃに接着固定された円筒状の磁石１７とで構成されている。そして、コア１２は円筒状の磁石１７内に配設され、コア１２と磁石１７とは全周で同じクリアランスをもって対峙させている。尚、固定部材８の外径は、上側ボールベアリング５の外径及び開口部１５ａの内径に比べて小さいもので形成されている。
【００２８】
本発明の回転ヘッド装置は、モータＭによって回転ドラムＲが回転するようになり、この回転ドラムＲの回転により磁気ヘッド２も回転し、この磁気ヘッド２に対して、所定の押圧力Ｐで押されて接触した状態で磁気テープＴが移動して、記録あるいは再生を行うようになっている。この際に回転ドラムＲと磁気テープＴとの摺動等により回転ドラムＲ側に静電気が発生し、その静電気が上側ボールベアリング５の外輪部５ｂにも蓄積される。この静電気は、上側ボールベアリング５の外輪部５ｂの上部端面に弾圧されたアースブラシ１４から、巻きバネ１３、モータ制御回路基板１０、ネジ９、固定部材８、固定軸１の順に導通させてアースへ落とすようになっている。
【００２９】
このような回転ヘッド装置を形成する際には、まず、固定ドラムＫ及び下側ボールベアリング６が取り付けられた固定軸１に、回転ドラムＲを取り付け、上側ボールベアリング５を、固定軸１に挿入された固定部材８によって押し付けて、固定軸１の所定の位置に圧入配置する。次に、固定部材８を、その側部に設けられた側部ネジ孔８ｂから、ネジ８ｄにより固定軸１に取り付ける。次に、取付板１５の底板部１５ｂに設けられた開口部１５ａの内側を、固定軸１と偏心して取り付けられている固定部材８の外側で案内し、その下端部に到達させる。次に、開口部１５ａの内側が、固定軸１と同心に取り付けられている上側ボールベアリング５の外側で案内されるように取付板１５をずらし（図３においては右方向）、開口部１５ａの内側を外輪部５ｂの所定の位置に到達させる。次に、開口部１５ａの内側を外輪部５ｂの所定の位置に当接させ、取付板１５の底板部１５ｂを回転ドラムＲに接触させる。そして、取付板１５内に固定部材８が内包される位置に、取付板１５をネジ１６によって回転ドラムＲに取り付けた後、モータ制御回路基板１０を固定部材８のネジ穴８ｃにネジ９によって取り付ける。即ち、本願発明においては、ロータＬの位置決めをボールベアリング５の外輪部５ｂによって行うものである。
【００３０】
固定部材８のブラシ孔８ｅ内に設けたアースブラシ１４は、回転ドラムＲの一部を構成する導電性の材料からなる上部ボールベアリング５の外輪部５ｂの上部端面に弾接する構造であればよい。
【００３１】
図４は、本発明の回転ヘッド装置の第２の実施の形態に用いられる固定部材の説明図であり、同図Ａは固定部材の上面図、同図Ｂは同図Ａの４Ｂ−４Ｂ線における断面図、同図Ｃは同図Ａの４Ｃ−４Ｃ線における断面図である。図４に示したように、本実施の形態で用いる固定部材８は、第１の実施の形態で示した円柱状のものとは形状が異なり、図４Ａ中の二点鎖線で示される第１の実施の形態の円柱状の固定部材の外周部から、肉部の一部が切り欠かれた形状としている。
【００３２】
本実施の形態の固定部材８は、軸孔８ａと、図４Ａ中の二点鎖線で示される第１の実施の形態の円柱状（仮想円柱形状）の固定部材の外周部との間に存在する、短軸ＷＹ側において短軸ＷＹの長さが短くなるように固定部材８の外周部を切り欠いて、固定軸１の軸方向と略平行な切り欠き面８ｆが設けられている。別言すると、軸孔８ａは、固定部材を円柱形状と仮想したときその仮想円柱形状の偏心位置にあり、ブラシ孔８ｂは、この軸孔８ａの中心から仮想円柱形状の中心を通って伸びる延長線上に配置されている。そして、固定部材には、その軸孔８ａに関しブラシ孔８ｂと反対側の部分に、仮想円柱形状を切り欠いた、固定軸１の軸方向と平行な方向の切り欠き面８ｆが設けられている。また、固定部材８には、軸孔８ａの中心を通り該軸孔中心と仮想円柱形状中心とを結ぶ線に直交する線上の対称位置に中心を有する一対のネジ穴が設けられており、この一対のネジ穴８ｃとブラシ孔８ｄとの間に位置する固定部材８の肉部を切り欠いて、固定軸１の軸方向と略平行に切り欠き部を設けている。図４に示す固定部材８の外周部の最大外径は、上側ボールベアリング５の外径及び取付板１５の開口部１５ａの内径よりも小さいもので形成されている。
【００３３】
固定部材８のブラシ孔８ｅ内に設けたアースブラシ１４は、回転ドラムＲの一部を構成する導電性の材料からなる上部ボールベアリング５の外輪部５ｂの上部端面に弾接する構造であればよい。また、その他の構成は前記第１の実施の形態と同様の構成としてあり、同一部品には同一番号を付し、ここではその説明を省略する。
【００３４】
【発明の効果】
本発明の回転ヘッド装置によれば、固定ドラムＫと、固定ドラムＫに固定された固定軸１と、磁気ヘッド２を有し、固定軸１に回転可能に取り付けられた回転ドラムＲと、貫通された軸孔８ａ及びブラシ孔８ｄを有し、軸孔８ａに挿通された固定軸１に取り付けられた固定部材８と、開口部１５ａを有し、回転ドラムＲに取り付けられた取付板１５と、ブラシ孔８ｄ内に配置され、前記回転ドラムに当接するアースブラシ１４とを備え、固定部材８の軸孔８ａは該円柱状の固定部材８の偏心位置にあり、ブラシ孔８ｄは、その中心が軸孔８ａの中心と円柱形状の中心とを結ぶ線上の延長線上に配置されているので、固定部材８と固定軸１とが偏心して配設され、巻きバネ１３及びアースブラシ１４が固定部材８の内部に配設されても、固定部材８の外径を上側ボールベアリング５の外径以下とすることができ、回転ヘッド装置の小型化・軽量化が実現される。また、固定部材８の組み込み後におけるモータＭのロータＬ組み込みにおいて、ボールベアリング５の外輪部５ｂを位置決め部に使用することが可能となる。また、内径の大きな開口部１５ａを有するモータを新たに準備する必要が無く、併せて、複数の仕様の回転ヘッド装置において、用いるモータを共通化することができ、製造コストを抑えることができる。
【００３５】
また、ボールベアリング５の外輪部５ｂに、取付板１５の開口部１５ａの内側を当接させてなることにより、回転ドラムＲに別途位置決め部を形成する必要がなくなるため回転ヘッド装置を安価に製造することができ、且つ、加工仕上がり精度の高いボールベアリング５の外輪部５ｂを位置決め部に使用することで、高精度に組み立てることができる。
【００３６】
また、上側ボールベアリング５の外輪部５ｂに、アースブラシ１４を弾圧により当接させることにより、小型で接触の安定した構造が提供できる。
【００３７】
また、軸孔８ａを、固定部材８を円柱形状と仮想したときその仮想円柱形状の偏心位置に位置させ、ブラシ孔８ｂを、この軸孔中心と仮想円柱形状中心とを結ぶ線上の延長線上に配置し、固定部材８は、その軸孔に関しブラシ孔と反対側の部分に、仮想円柱形状を切り欠いた、固定軸１の軸方向と平行な方向の切り欠き面８ｆを形成したことにより、固定部材８が小型化及び軽量化され、回転ヘッド装置の小型化・軽量化が実現される。また、このような固定部材８は、少量の材料で、その機能を十分果たすことができる固定部材８を形成することができ、材料コストを低減することができる。
【００３８】
また、固定部材８の一対のネジ穴８ｃとブラシ孔８ｄとの間に位置する固定部材８の肉部を切り欠いて、固定軸１の軸方向と略平行に切り欠き部を設けたことによっても、固定部材８がさらに小型化及び軽量化され、回転ヘッド装置の小型化・軽量化が実現される。また、このような固定部材８は、必要最低限の量の材料で、その機能を十分果たすことができる固定部材８を形成することができ、材料コストを低減することができる。
【００３９】
【図面の簡単な説明】
【図１】本発明の回転ヘッド装置の第１の実施の形態の断面図である。
【図２】本発明の回転ヘッド装置の第１の実施の形態に用いられる固定部材の説明図である。
【図３】本発明の回転ヘッド装置の第１の実施の形態の要部を分解した断面図である。
【図４】本発明の回転ヘッド装置の第２の実施の形態に用いられる固定部材の説明図である。
【図５】従来の回転ヘッド装置の断面図である。
【図６】従来の回転ヘッド装置に用いられる固定部材の説明図である。
【図７】従来の回転ヘッド装置の要部を分解した断面図である。
【符号の説明】
Ｋ  固定ドラム
Ｒ  回転ドラム
Ｍ  モータ
Ｓ  ステータ
Ｌ  ロータ
Ｐ  押圧力
Ｔ  磁気テープ
１  固定軸
２  磁気ヘッド
３  ネジ
４  回転トランス
４ａ  固定側トランス
４ｂ  回転側トランス
５  上側ボールベアリング
６  下側ボールベアリング
５ａ、６ａ  内輪部
５ｂ、６ｂ  外輪部
５ｃ、６ｃ  ボール
７  中心孔
８  固定部材
８ａ  軸孔
８ｂ  側部ネジ孔
８ｃ  ネジ穴
８ｄ  ブラシ孔
８ｅ  ネジ
８ｆ  切り欠き面
９  ネジ
１０  モータ制御回路基板
１１  コイル
１２  コア
１３  巻きバネ
１４  アースブラシ
１５  取付板
１５ａ  開口部
１５ｂ  底板部
１５ｃ  筒状部
１６  ネジ
１７  磁石
【図１】
0003569435.tif 000002
【図２】
0003569435.tif 000003
【図３】
0003569435.tif 000004
【図４】
0003569435.tif 000005
【図５】
0003569435.tif 000006
【図６】
0003569435.tif 000007
【図７】
0003569435.tif 000008